(57)【要約】【課題】曲伸可能な体操器具を提供する。【解決手段】シュートと摺動パッド及び力印加アームから構成され、摺動部材は、一端に、下へ突出する脚座があり、もう一端に、突出する結合ブロックが設置され、摺動パッドは、クッションと制限フレームが含まれ、クッションに、制限フレームが固定され、また、摺動孔に、軸受と摺動棒が嵌設され、力印加アームは、マウンティングアームフレームと二つの延伸棒から構成され、マウンティングアームフレームに、結合座が設けられ、また、両側に、パネルとマウンティングアーム棒が設置され、上記マウンティングアーム棒に、延伸摺動孔が設けられ、マウンティングアーム棒と地面により挟まれる夾角に、強化ブロックが設けられ、二つの延伸棒に、ともに、グリップが設けられ、上記の構造により、軽量且つ快速的に組み立てられ、收納が便利である体操器具材である。【選択図】図２
2010088757.tif 000002
【特許請求の範囲】
【請求項１】
その一端から下へ向かって突出した脚座があり、もう一端から結合ブロックが突出して、ストライプ状である摺動部材と、二つの支持部材とからなるシュートと、
クッションと制限フレームとがあり、下端に門形状である制限フレームが固定され、その側面において、クッションの近くに、摺動孔が設けられ、また、摺動孔の数に応じて、軸受と摺動棒が設けられる摺動パッドと、
マウンティングアームフレームと二つの延伸棒から構成され、マウンティングアームフレームが、Ｕ字形のフレームで、中央に、結合座が設けられて、両側に、円弧状のパネルが延伸して設置され、更に、パネルから両側に上へ湾曲するマウンティングアーム棒が延伸し、上記マウンティングアーム棒の末端に、延伸摺動孔が形成され、また、上記マウンティングアーム棒が、斜めに起立し、延伸棒に、横方向に、マウンティングアーム棒の延伸摺動孔内に嵌設されるグリップがある力印加アームと、から構成される、ことを特徴とする主動に曲伸可能な体操器具。
【請求項２】
摺動部材の下端において、中央に、少なくとも一つの支持部材が設けられることを特徴とする請求項１に記載の主動に曲伸可能な体操器具。
【請求項３】
マウンティングアーム棒と地面により挟まれる夾角に、強化ブロックが設けられることを特徴とする請求項１に記載の主動に曲伸可能な体操器具。
【請求項４】
摺動部材の結合ブロック端は、マウンティングアームフレームの結合座に設置されることを特徴とする請求項１に記載の主動に曲伸可能な体操器具。
【請求項５】
クッションは、軟質な材質やプラスチック材質から構成されることを特徴とする請求項１に記載の主動に曲伸可能な体操器具。
【請求項６】
パネルは、上端面に、複数の突出が設けられることを特徴とする請求項１に記載の主動に曲伸可能な体操器具。
【請求項７】
制限フレームの摺動孔全体は、軸受が設置され、また、制限フレームの内部と摺動部材の上端面に、ダンプスリーブが設置され、摺動棒が、対応する軸受に嵌設されて、ダンプスリーブにより覆われることを特徴とする請求項１に記載の主動に曲伸可能な体操器具。
【請求項８】
ダンプスリーブは、ゴム材質のような弾性体から構成されることを特徴とする請求項７に記載の主動に曲伸可能な体操器具。
【請求項９】
延伸棒は、交換可能に延伸摺動孔に実装されることにより、グリップが、内側や外側へ向かうことができることを特徴とする請求項１に記載の主動に曲伸可能な体操器具。
【請求項１０】
シュートと力印加アームは、プラスチック材質からなることを特徴とする請求項１に記載の主動に曲伸可能な体操器具。
【発明の詳細な説明】
【技術分野】
【０００１】
本発明は、主動に曲伸可能な体操器具に関し、特に、構造が安全であったり、軽量且つ運搬や使用が容易で、スタッドと槽溝により、快速的に組立てでき、また、より良い収納効果が得られるものに関する。
【背景技術】
【０００２】
従来の曲伸可能な体操器具は、両手や両足の延伸を利用して、体が体操器具上を摺動するようになって、全身運動の効果が得られるが、上記の曲伸可能な体操器具は、金属材質からなり、また、補助として動力調節器を実装することが必要であり、また、油圧シリンダや滑車等である動力調節器により、操作の省力化が求まれるが、上記構造は、重いだけでなく、コストが高くて、運搬や使用にも不便であり、また、上記曲伸可能な体操器具は、ボルトにより組立てられ、使用しない時、空間を占用するため、収納が不便である。
【０００３】
本発明者は、上記欠点を解消するため、慎重に研究し、また、学理を活用して、有効に上記欠点を解消でき、設計が合理である本発明を提案する。
【発明の開示】
【発明が解決しようとする課題】
【０００４】
本発明の目的は、プラスチック材質からなり、スタッドと槽溝とを利用して、快速的に組み立てることができ、より良い收納効果が得られる曲伸可能な体操器具を提供する。
【課題を解決するための手段】
【０００５】
本発明は、プラスチック材質から構成される主動に曲伸可能な体操器具であり、スタッドと槽溝とを快速的に接合してからなり、シュートと摺動パッド及び力印加アームから構成され、摺動部材は、一端に、下へ突出する脚座があり、もう一端に、突出する結合ブロックが設置され、摺動パッドは、クッションと制限フレームが含まれ、クッションに、制限フレームが固定され、また、摺動孔に、軸受と摺動棒が嵌設され、力印加アームは、マウンティングアームフレームと二つの延伸棒から構成され、マウンティングアームフレームに、結合座が設けられ、また、両側に、パネルとマウンティングアーム棒が設置され、上記マウンティングアーム棒に、延伸摺動孔が設けられ、マウンティングアーム棒と地面により挟まれる夾角に、強化ブロックが設けられ、二つの延伸棒に、ともに、グリップが設けられ、摺動パッドの制限フレームが、摺動部材に嵌設され、その摺動部材の中段が、両端の脚座と結合ブロックよりもやや小さく、上記制限フレームの摺動孔全体に、軸受が実装され、また、制限フレームの内部と摺動部材の上端面に、ダンプスリーブが設置され、摺動棒が、対応する軸受に嵌設され、ダンプスリーブにより覆われ、そして、上記摺動部材の下端に、少なくとも一つの支持部材が設けられ、支持部材により地に支持される強度が増大され、また、摺動部材の結合ブロック端が、マウンティングアームフレームの結合座に設置され、そして、二つの延伸棒は、マウンティングアームフレーム両側の延伸摺動孔から、マウンティングアーム棒に挿入され、その延伸棒は、マウンティングアーム棒の傾斜角により、位置付けられ、上記マウンティングアーム棒は、摺動部材の中間に向かって傾斜する角度になり、また、上記グリップが、交換可能に延伸摺動孔に実装されることにより、内側や外側へ向かうことができる。
【０００６】
以下、図面を参照しながら、本発明の特徴や技術内容について、詳しく説明するが、それらの図面等は、参考や説明のためであり、本発明は、それによって制限されることが無い。
【発明を実施するための最良の形態】
【０００７】
図１、２は、主動に曲伸可能な体操器具であり、その主体が、プラスチック材質から構成されて、スタッドと槽溝により快速的に接合され、シュート１０と摺動パッド２０及び力印加アーム３０から構成され、シュート１０は、摺動部材１１と二つの支持部材１２からなり、摺動部材１１は、ストライプ状で、その一端に、下へ突出する脚座１１１があり、また、もう一端に、突出する結合ブロック１１２が設置され、また、上記摺動部材１１の下端において、中央に、少なくとも一つの支持部材１２が設けられ、摺動パッド２０は、クッション２１と制限フレーム２２とが含まれ、クッション２１が、軟質材質やプラスチック材質から構成され、その下端に、制限フレーム２２が固定され、上記制限フレーム２２が、門形状で、その側面において、クッション２１の近くに、摺動孔２２１が形成され、また、摺動孔２２１の数に合わせて、軸受２２２と摺動棒２２３が貫設され、そして、上記摺動棒２２３の棒体が、ダンプスリーブ２２４に覆われ、上記ダンプスリーブ２２４が、ゴム材質からなり、力印加アーム３０は、マウンティングアームフレーム３１と二つの延伸棒３２から構成され、マウンティングアームフレーム３１が、Ｕ字形のフレームで、その中央に、結合座３１１が設けられ、また、両側へ伸びるように、円弧状のパネル３１３が設置され、パネル３１３に、複数の突出３１４が突出し、パネル３１３から、両側へ伸びて上へ湾曲するマウンティングアーム棒３１５があり、上記マウンティングアーム棒３１５の末端に、延伸摺動孔３１６が形成され、そして、上記マウンティングアーム棒３１５が、傾斜角度で起立し、また、マウンティングアーム棒３１５と地面に挟まれた夾角に、強化ブロック３１７が設けられ、延伸棒３２の横に、マウンティングアーム棒３１５の延伸摺動孔３１６内に貫設されるグリップ３２１が設けられる。
【０００８】
本発明によれば、図２〜４のように、摺動パッド２０の制限フレーム２２が、摺動部材１１に嵌設され、その摺動部材１１の中段が、両端の脚座１１１と結合ブロック１１２によりも、やや小さくて、上記制限フレーム２２の摺動孔２２１全体に、軸受２２２が設置され、また、制限フレーム２２の内部と摺動部材１１の上端面に、ダンプスリーブ２２４が設置され、摺動棒２２３が、対応する軸受２２２に貫設されて、ダンプスリーブ２２４により覆われ、上記摺動部材１１の下端に、少なくとも一つの支持部材１２が設けられて、支持部材１２により、地に支持される強度が増大され、また、摺動部材１１の結合ブロック１１２端が、マウンティングアームフレーム３１の結合座３１１に設置され、また、二つの延伸棒３２が、マウンティングアームフレーム３１両側の延伸摺動孔３１６からマウンティングアーム棒３１５に挿入され、その延伸棒３２が、マウンティングアーム棒３１５の傾斜角により位置付けられ、上記マウンティングアーム棒３１５が、摺動部材１１の中間へ傾斜する角度になり、また、上記延伸棒３２が、交換可能に延伸摺動孔３１６に実装され（図５のように）、即ち、グリップ３２１が、内側や外側へ向かうことができる。
【０００９】
使用する時、図２と６及び７のように、その摺動パッド２０が、制限フレーム２２により、摺動部材１１の棒体に制限され、上記ダンプスリーブ２２４が、摺動棒２２３に嵌設され、また、クッション２１が、摺動部材１１上を往復に摺動できるように支持され、上記ダンプスリーブ２２４が、弾性体であり、クッション２１を摺動できるように支持する時、摺動部材１１上において、適当なロール抵抗が生成し、また、体曲縮する動作を行う時、ユーザーが、クッション２１に座って、両足の掌で、両端にあるパネル３１３上を踏んで、また、両手で、延伸棒３２に設置されたグリップ３２１をグリップして、体側へ向かって力を印加し、また、腰部の力により、摺動パッド２０が、外端から内へ向かって引っ張られることにより、ユーザーの体が、曲縮の状態になり、即ち、両手と腰部の力により、体の重量を受けて引っ張り、また、逆に、体を伸展する時、両足で、パネル３１３に力を印加して、両足を真っ直ぐに伸ばして、また、腰部の力に合わせて、摺動パッド２０が、内端から外へ向かって押され、これにより、摺動パッド２０が、摺動部材１１の外端へ移動して、体が、伸展状態になり、即ち、両手と腰部の力により、体の重量を受けて伸ばし、上記のように、往復に体曲伸を行うことにより、全身運動の効果が得られる。
【００１０】
上記の具体な実施例によれば、次のメリットが得られる。
【００１１】
１、その摺動部材１１や支持部材１２、マウンティングアームフレーム３１及び延伸棒３２は、ともに、プラスチック材質からなるため、構造が安全且つ軽量でありながら、運搬や使用が便利になる。
【００１２】
２、その摺動部材１１の結合ブロック１１２端が、マウンティングアームフレーム３１の結合座３１１に設置されて、上記延伸棒３２も、延伸摺動孔３１６内に設置されるため、スタッドと槽溝とを利用して、快速的に組み立てられ、また、收納空間を節約できる効果が得られる。
【００１３】
そのため、本発明は、より進歩的かつより実用的で、法に従って特許請求を出願する。
【００１４】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００１５】
【図１】本発明の立体図
【図２】本発明の立体分解図
【図３】本発明の側面断面図
【図４】本発明の裏側断面図１
【図５】本発明の裏側断面図２
【図６】本発明の側視作動図
【図７】本発明の使用概念図
【符号の説明】
【００１６】
１０      シュート
１１      摺動部材
１１１    脚座
１１２    結合ブロック
１２      支持部材
２０      摺動パッド
２１      クッション
２２      制限フレーム
２２１    摺動孔
２２２    軸受
２２３    摺動棒
２２４    ダンプスリーブ
３０      力印加アーム
３１      マウンティングアームフレーム
３１１    結合座
３１３    パネル
３１４    突出
３１５    マウンティングアーム棒
３１６    延伸摺動孔
３１７    強化ブロック
３２      延伸棒
３２１    グリップ
【図１】
2010088757.tif 000003
【図２】
2010088757.tif 000004
【図３】
2010088757.tif 000005
【図４】
2010088757.tif 000006
【図５】
2010088757.tif 000007
【図６】
2010088757.tif 000008
【図７】
2010088757.tif 000009